(57)【要約】【課題】従来の電気掃除機吸引口では、凹凸面の清掃は、ハケ・古い歯ブラシ等で剥離して吸引する二重の作業である。また、窓枠の溝にある埃はガラス面の結露を吸水し、それが乾燥すると埃が硬直し、掃除の手間がかかる。近年、ペットとの同居が増え室内や乗用車内にもペットの抜け毛が飛散する。カーペットにからんだ抜け毛は、ハケ・ピンセットまたは粘着テープで取り除いている。【解決手段】電気掃除機本体Ｃの吸引パイプ１の管内に、スパイラル型羽根車３を装着し、電気掃除機本体側Ｂへの空気流をエネルギーとして、スパイラル型羽根車３を回転させる。スパイラル型羽根車３に直結したジャンクション６に取り付けられた回転ブラシ８を回転させて、深溝部のゴミを剥離させ、吸い込み口７より吸引する。回転ブラシの形状やブラシ材質また接続パイプ形状を変えることで、ハタキがけや拭き掃除、水分の多い場所でもにも電気掃除機が使用できる。【選択図】　図１
2004105494.tif 000002
【特許請求の範囲】
【請求項１】
電気掃除機本体Ｃの吸引パイプ１の管内に、スパイラル型羽根車３を装着し、電気掃除機本体側Ｂへの空気流をエネルギーとして、スパイラル型羽根車３を回転させる。スパイラル型羽根車３に直結したジャンクション６に取り付けた、回転ブラシ８（または９，１０，１１）でそれぞれの形状にあった場所の掃除を行う。
【請求項２】
電気掃除機本体Ｃの吸引パイプ１の管内に、スパイラル型羽根車３を装着し、電気掃除機本体側Ｂへの空気流をエネルギーとして、スパイラル型羽根車３を回転させる。スパイラル型羽根車３に直結したジャンクション６を介して、ユニバーサルジョイント１５の回転伝達の方向を変え、回転ブラシで巻き上げた水分を含んだ空気が流入市内場所に空気流入口１３を設けることで、風呂場でも非防水型の電気掃除機でのブラッシングができる。
【発明の詳細な説明】
【０００１】
【発明の属する技術分野】本発明は、電気掃除機本体に接続された吸い込みパイプ先端に、吸い込みパイプと同軸方向の回転力を得て、ブラシを回転させ剥離と吸引を１つの動作で行うものである。
【０００２】
【従来の技術】市販されている電気掃除機吸い込み口と直角方向の回転方式で、凹凸のない平面に有効な回転方式である。また、吸引パイプと同軸方向の回転を得た物は存在しない。
【０００３】
【発明が解決しようとする課題】複雑な凹凸面のゴミ、汚れや素材の柔らかい家具、また僅かな隙間の掃除を市販の電気掃除機を利用して行う。
【０００４】
【課題を解決するための手段】本発明は、回転エネルギーを電気掃除機本体Ｃの空気流Ｂを用いるものである。回転ブラシの形状や材質を変えることであらゆる凹凸面や僅かな隙間、垂直面にも対処できる。また、液体に付着したごみもブラシで剥離し、そのまま吸引できる。回転エネルギーが空気流であり、回転ブラシが強く押しつけられたりして、スパイラル型羽根車３に重い負荷がかかると、回転トルク不足のため回転が停止となり、清掃対象物の素地を傷つけなくし、上記の課題を解決したものである。
【０００５】
【発明の実施の形態】本発明の実施例を図１〜図５にて説明する。
【０００６】
【実施例】図１は本発明の基本形をなすものである。電気掃除機本体Ｃの吸引パイプ１の管内に、スパイラル型羽根車３を装着し、電気掃除機本体側Ｂへの空気流をエネルギーとして、スパイラル型羽根車３を吸引パイプと同軸方向に回転させる。スパイラル型羽根車３に直結したジャンクション６に取り付けられた回転ブラシ８を回転させて、通常の吸い込み口の吸引力が届きにくい、深溝部のゴミを剥離させ、吸い込み口７より吸引する。また、襖に押しつけられた綿埃が、敷居と柱にくい込んだりしたものもはぎ取り・吸引できる。
【０００７】図１は、吸引パイプ１の管内に、スパイラル型羽根車３を装着し、電気掃除機本体側Ｂへの空気流をエネルギーとして、スパイラル型羽根車３を吸引パイプと同軸方向に回転させる。スパイラル型羽根車３に直結したジャンクション６に取り付けられた回転ブラシ８を回転させる。液体対応型の工業用電気掃除機を用いると、工作機械の切削水や油に付着したに切削片の剥離し吸い込み口７より吸い込む。
【０００８】図２は、吸引パイプ１の管内に、スパイラル型羽根車３を装着し、電気掃除機本体側Ｂへの空気流をエネルギーとして、スパイラル型羽根車３を吸引パイプと同軸方向に回転させる。スパイラル型羽根車３に直結したジャンクション６に取り付けられた回転ブラシ９を回転させて埃を払い吸い込み口７より吸い込む。従来ハタキや水拭きが主流であった家具・家電の天板面や、エアコンのルーバーおよびブラインド等形状の複雑な物や素材の柔らかい物の僅かな隙間の清掃にも、電気掃除機の使用が可能である。
【０００９】図３は、吸引パイプ１の管内に、スパイラル型羽根車３を装着し、電気掃除機本体側Ｂへの空気流をエネルギーとして、スパイラル型羽根車３を吸引パイプと同軸方向に回転させる。スパイラル型羽根車３に直結したジャンクション６に取り付けられた直角方向の回転ブラシ１０を回転させて、室内のカーペットに付着しているペットの抜け毛も先端ブラシの回転で浮かせ、吸い込み口７より吸い込ませる。一般家庭やペットホテルでの床清掃作業、また、乗用車内の座席下や座席の間に飛散した抜け毛の吸引が容易にできる。
【００１０】図４は、吸引パイプ１の管内に、スパイラル型羽根車３を装着し、電気掃除機本体側Ｂへの空気流をエネルギーとして、スパイラル型羽根車３を吸引パイプと同軸方向に回転させる。スパイラル型羽根車３に直結したジャンクション６に取り付けられた直角方向の回転ブラシ１１を回転させ吸い込み口７より吸引する。曲線型接続パイプ１２を繋ぐことにより、人間の視線より上にある書棚や洋服ダンスの天板部の掃除を、イスや脚立を使わずに安全にできる。
【００１１】図５は、吸引パイプ１の管内に、スパイラル型羽根車３を装着し、電気掃除機本体側Ｂへの空気流をエネルギーとして、スパイラル型羽根車３を吸引パイプと同軸方向に回転させる。スパイラル型羽根車３に直結したジャンクション６を介して、ユニバーサルジョイント１５で回転伝達の向きを変えブラシ１６を回転させる。空気流入口１３がブラシ回転部より離れており、水分を多く含んだ場所をブラッシングしても、接続パイプ及び電気掃除機本体にもみずの侵入はあり得ない。非防水型の電気掃除機でも風呂場のブラッシングが可能である。
【００１２】
【発明の効果】従来、水拭きやブラシを用いた手作業が、手持ちの電気掃除機で可能となる。水拭きをしないことにより、水質汚濁防止の効果があり、地球環境に優しい手段といえる。
【図面の簡単な説明】
【図１】空気流を利用したスパイラル駆動方式回転の基本構想と、深溝用ブラシを装着した図である。
【図２】家具・家電の天板面及びエアコンルーバー・ブラインドの隙間清掃用ハタキ兼用の軟らかなブラシを装着した図である。
【図３】室内・乗用車のカーペットに絡んだ、ペットの抜け毛を浮遊させるためのブラシを装着した図である。
【図４】高所のため脚立・イスを用いずに、家具・家電やロッカーの天板面を掃除するための曲線型接続パイプを装着した図である。
【図５】非防水タイプの電気掃除機を用いて、風呂場やプールの床面・壁面のブラッシングを可能
にした図である。
【符号の説明】
Ａ　　　吸引パイプ断面
Ｂ　　　電気掃除機本体側
Ｃ　　　電気掃除機本体
１　　　吸引パイプ
２　　　接続パイプ
３　　　スパイラル型羽根車
４　　　回転部支点
５　　　回転部支点
６　　　ジャンクション
７　　　吸い込み口
８　　　回転ブラシ（深溝用）
９　　　回転ブラシ（ハタキ兼用）
１０　　回転ブラシ（カーペット用）
１１　　回転ブラシ（高所天板用）
１２　　曲線型接続パイプ
１３　　空気流入口
１４　　防水シール
１５　　ユニバーサルジョイント
１６　　回転タワシ（湿式用）
１０１　吸引パイプ外周
１０２　ベアリング
１０３　支柱
１０４　スパイラル型羽根車シャフト
【図１】
2004105494.tif 000003
【図２】
2004105494.tif 000004
【図３】
2004105494.tif 000005
【図４】
2004105494.tif 000006
【図５】
2004105494.tif 000007